(57)【要約】投写すべき画像を表す画像信号を受信するようＬＣＤ投写装置が構成される。この装置は、液晶マトリクス（２，１１）と、画像信号（６）を液晶マトリクス（２，１１）用の制御信号に変換する制御装置（５）とを有する。制御装置（５）は、液晶マトリクス（２，１１）の各画素（１４，２２，３９）についてルックアップテーブル（２８，３４〜３７）を有する。画像信号（６）の所定の値につき、ルックアップテーブル（２８，３４〜３７）は、どの制御信号が画像信号（６）の所定の値（ＩＡ，ＩＢ）に対応するかを示す。
2004533648.tif 000002
【特許請求の範囲】
【請求項１】
投写すべき画像を示す画像信号を受信するよう構成され、液晶マトリクスと前記画像信号を前記液晶マトリクス用の制御信号に変換する制御装置とを有するＬＣＤ投写装置であって、
前記制御装置は、前記液晶マトリクスの少なくとも１つの画素について及び前記画像信号の少なくとも１つの所定値について、どの制御信号が前記画像信号の当該少なくとも１つの所定値に対応するかを示す少なくとも１つのルックアップテーブルを有し、
前記制御装置は、前記ルックアップテーブルに応じて、前記少なくとも１つの画素の画像信号の少なくとも１つの所定値に関連づけられた制御信号により、前記少なくとも１つの画素の画像信号の当該少なくとも１つの所定値の存在において前記液晶マトリクスの少なくとも１つの画素を制御するよう構成される、
ＬＣＤ投写装置。
【請求項２】
請求項１に記載のＬＣＤ投写装置であって、前記画像信号は、ディジタル信号である、装置。
【請求項３】
請求項１に記載のＬＣＤ投写装置であって、前記画像信号は、アナログ信号であり、当該アナログ画像信号をディジタル画像信号に変換するためにＡ／Ｄ変換器が設けられている、装置。
【請求項４】
請求項２又は３に記載のＬＣＤ投写装置であって、前記ルックアップテーブルは、前記画像信号の各ディジタル値について前記制御信号の値を有する、装置。
【請求項５】
請求項１ないし４のうちいずれか１つに記載のＬＣＤ投写装置であって、前記制御装置は、１つ以上のルックアップテーブルを有する、装置。
【請求項６】
請求項５に記載のＬＣＤ投写装置であって、前記制御装置は、前記液晶マトリクスの画素毎にルックアップテーブルを有する、装置。
【請求項７】
請求項５又は６に記載のＬＣＤ投写装置であって、少なくとも２つの値を有する開口数を有する光学系を有し、前記制御装置は、前記開口数の少なくとも２つの値について請求項１ないし４のうちいずれか１つに記載のルックアップテーブルを有する、装置。
【請求項８】
請求項１ないし７のうちいずれか１つに記載のＬＣＤ投写装置のための制御装置であって、当該制御装置は、請求項１ないし７のうちいずれか１つに記載の少なくとも１つのルックアップテーブルを有するメモリを具備する、制御装置。
【請求項９】
請求項８に記載の制御装置であって、前記メモリは、交換可能である、装置。
【請求項１０】
請求項９に記載の交換可能なメモリ。
【発明の詳細な説明】
【技術分野】
【０００１】
本発明は、投写すべき画像を示す画像信号を受信するよう構成され、液晶マトリクスと当該画像信号を当該液晶マトリクス用の制御信号に変換する制御装置とを有するＬＣＤ投写装置に関する。
【背景技術】
【０００２】
このようなＬＣＤ投写装置は、欧州特許出願第０６２１４９９号により知られている。この文献は、透過型液晶マトリクス用の２つのリタデーション板による補正メカニズムを記述している。
【０００３】
リタデーション板の使用は、これにより得られるべき補正が液晶マトリクス全体で同じ値を有するという短所を有する。
【０００４】
ＬＣＤ投写装置においては、液晶マトリクスを見る角度が予め完全に固定されている。これは、当該ディスプレイを多くの角度から見る直視型液晶ディスプレイとは対照的である。液晶ディスプレイにおける既知の問題は、コントラストの損失と階調反転である。欧州特許出願第０６２１４９９号に記述されているような投写装置においても、このようなコントラスト損失及び画像反転の問題が生じ、このような問題は、リタデーション板を用いることにより本特許出願において一部解決される。しかしながら、入射角が画像全体において同じではなく当該画像上の位置、したがって当該液晶マトリクス上の位置に依存するので、これらリタデーション板の使用は画像全体に対して同じ効果を導くことができない。
【発明の開示】
【発明が解決しようとする課題】
【０００５】
本発明の目的は、本文冒頭の段落に記述したようなＬＣＤ投写装置であって、上述した短所を大幅に軽減することのできる投写装置を提供することである。
【課題を解決するための手段】
【０００６】
本発明によれば、この目的は、投写すべき画像を示す画像信号を受信するよう構成され、液晶マトリクスと前記画像信号を前記液晶マトリクス用の制御信号に変換する制御装置とを有するＬＣＤ投写装置であって、前記制御装置は、前記液晶マトリクスの少なくとも１つの画素について及び前記画像信号の少なくとも１つの所定値について、どの制御信号が前記画像信号の当該少なくとも１つの所定値に対応するかを示す少なくとも１つのルックアップテーブルを有し、前記制御装置は、前記ルックアップテーブルに応じて、前記少なくとも１つの画素の画像信号の少なくとも１つの所定値に関連づけられた制御信号により、前記少なくとも１つの画素の画像信号の当該少なくとも１つの所定値の存在において前記液晶マトリクスの少なくとも１つの画素を制御するよう構成される、ＬＣＤ投写装置とすることにより達成される。
【０００７】
これにより、受信画像信号と制御信号との関係が当該液晶マトリクスについて画素毎に正確に決定される。
【０００８】
本発明による投写装置は、当該ＬＣＤ投射装置の色々な部分に入射する光の種々の角度の作用を予め決定しその結果を決定するという実現性を提供する。そして、関連する画素についてどの程度制御信号を変えることができるかを画素毎に決定することができ、最終的に投射される画像は、当該関連する補正を伴うことなく実現されていたものよりも当該画像信号によって表される画像に非常に近いものとなる。
【０００９】
本発明によるＬＣＤ投写装置の好適実施例は、前記画像信号が、ディジタル信号となっており、前記ルックアップテーブルは、前記画像信号の各ディジタル値について前記制御信号の値を有するものとしている。
【００１０】
これにより、該当の画素の最も適正な制御信号が最暗状態から最明状態までの範囲にわたり発生され供給される。
【００１１】
本発明によるＬＣＤ投写装置のさらに好ましい実施例は、前記制御装置は、前記液晶マトリクスの画素毎にルックアップテーブルを有するものとしている。
【００１２】
これにより、投写されるべき全提示画像についてそのＬＣＤ投写装置の得られる最大限の性能が保証されるようになる。
【００１３】
液晶マトリクスに対する入射光が当該液晶マトリクスの平面上の法線から偏倚するほど、補正しなければならないずれが大きくなることについては知られている。スクリーン上への投影をなす投写装置においては、比較的に小さい開口数を有する光学系を用いることは概して十分である。但し、例えば人間の目で見ることのできる虚像が投影される投写システムにおいては、大きな開口数が必要とされることが多い。大なる開口数において補正すべきずれは、小なる開口数における場合よりも大きい。
【００１４】
ＬＣＤ投写装置の好適実施例は、少なくとも２つの値を有する開口数を有することのできる光学系を有し、前記制御装置は、前記開口数の少なくとも２つの値についてのルックアップテーブルを有するようにしている。
【発明を実施するための最良の形態】
【００１５】
以下、上記態様その他の本発明の態様を実施例に基づいて詳細に説明する。
【００１６】
図１Ａにおいて、参照符号１が光源を指している。参照符号２は、液晶マトリクスを指しており、このマトリクスの一方側において偏光子３が、他方側において検光子４が設けられている。液晶マトリクス２の画素は、制御装置５によって制御可能となっている。制御装置５は、矢印６によって概略的に示された画像信号を受信する入力部を有する。この画像信号は、投写すべき画像を表している。形成された画像は、光学系７によりスクリーン８に投影され、或いは形成された虚像が目９により視認されるようにしてもよい。
【００１７】
図１Ｂは、同じＬＣＤ投写装置を示しているが、ここでは反射型液晶マトリクスを有するものを示している。光源１から到来した光は、偏光性半透過ミラー１０に入射し、その一部が反射型液晶マトリクス１１に向かって反射する。反射型液晶マトリクス１１は、投影すべき画像を表す画像信号６を受信する入力部を有する制御装置５によって制御される。光学系７は、液晶マトリクス１１の画像をスクリーン８に投影し、或いは目９が液晶マトリクス１１を見ることを可能とする。
【００１８】
図１Ａ及び図１Ｂに示されるＬＣＤ投写装置に特有の問題は、以下、反射型液晶マトリクスについて明らかにする。なお、この問題は、透過型液晶マトリクスにおいて同様に起こるものであり、同様の手法を行なって解決される。
【００１９】
ＬＣＤ投写装置は、単一の強力な光源により比較的小さな寸法（概ね１ｃｍ）のエレメントを照射するその機能については知られており、かかるエレメントは、投写スクリーン上に画像化され又は人間の目によって視認される。最大コントラストは、最高強度と最低強度との間で達成されるのが望ましい。最高強度は、当該光源の強度に依存し、最低強度は、当該光源からの光がスクリーン８又は目９にどの程度届かないかという実状に依存する。スクリーン８又は目９に届くことのできる光の量が少ないほど、観測されるコントラストは大きくなる。
【００２０】
ＬＣＤ投写装置は、全ての画素における偏光入射光の回転の程度に影響を及ぼす。画素の制御信号は、該当する時において該当画素の画像信号の値に基づいて該当画素に制御装置５によって供給される制御信号の値に応じてその回転の程度が決められることを保証する。基本的状況において、光源から到来する光が偏光子又は偏光半透過ミラー１０により先ず偏光され、その後に液晶マトリクス２又は１１においてそれぞれ透過又は反射する場合に極めて大なるコントラストが得られる。図２において、かかる基本的状況が光線１２によって示されており、この光は偏光半透過ミラー１０に角度４５°で入射し、これにより液晶マトリクス１１の方向において光線１３を形成するよう９０°の角度をもって偏向する。光線１３は、位置１４において反射型液晶マトリクス１１の画素に入射し、これにより反射して光線１５となり、その後に偏光半透過ミラー１０により光線１６として透過する。位置１４に近い画素に対し制御装置５により供給された制御信号の値に基づいて、光線１６は光線１３と同等か又はこれよりも低い強度を有する。
【００２１】
液晶マトリクス１１に対する鉛直な入射及び偏光半透過ミラー１０に対する光線１２の４５°の角度での入射がなされると、実質的に完全なゼロに相当する強度を有する光線１６を得ることができる。これは、光線１３が４５°を下回る入射角（図２における角α）にて完全に直線偏光され、光線１３の偏光方向が直角の入射（角β）の場合において光線１５を形成するよう完全に９０°回転させられるという事実の結果である。その場合、光線１５は、偏光半透過ミラー１０により全部が透過され、それ故最も高い強度を呈する光線１６を形成する。但し、直角入射がなされると、今度は制御装置５から制御信号を位置１４の画素に供給することが可能となり、ビーム１３の偏光方向が全く変わらず、戻りビーム１５がほとんど透過せず、或いは偏光半透過ミラー１０により全く透過しないことになる。結局、光線１６が非常に小さい強度を有し或いはゼロに等しい強度を有することになる。
【００２２】
４５°及び９０°よりそれぞれ小さい角γ及び角δの如きα＝４５°及びβ＝９０°以外の角度においては、別の方策なしでは、光線１３と光線１６との間において可能であるものと同程度、光線１８と光線１９との間におけるコントラストを維持することが概して不可能となる。
【００２３】
図４は、角α及びβを角γ及びδに変えた結果を概略的に示している。図４において、液晶マトリクス１１の画素の制御電圧が横軸にプロットされ、半透過偏光ミラー１０により透過される光の強度が縦軸にプロットされている。実線の曲線２０は、位置１４における画素に掛けられる電圧Ｖと光線１６の強度Ｉとの関係を概略的にかつ例示のものとして示している。同様に、破線曲線２１は、光線１９についての同関係を示している。参照符号Ｖ１は、曲線２０に沿い光線１６の強度Ｉ０が得られるところの制御電圧を示している。Ｖ２は、光線１９が光線１６と同じ強度Ｉ０を有することを保証するために位置２２における画素に制御電圧Ｖ２が掛けられなければならないことを示している。同様に、Ｖ３は、光線１６が最大強度Ｉ１に達する電圧を示し、Ｖ４は、光線１９についての同電圧を示している。したがって、図４からは、光が垂直に入射する画素の制御電圧が最低電圧Ｖ１から最高電圧Ｖ３まで制御可能であるのに対し、光線１８の如き入射光が斜めに入射する画素についてはＶ２〜Ｖ４の範囲の制御電圧により同じ強度範囲Ｉ０〜Ｉ１が得られることが明らかである。図４からは、Ｖ１〜Ｖ３の範囲がＶ２〜Ｖ４の範囲とは異なることだけでなく、一方の範囲の長さが他の範囲の長さと同じでなく、曲線２０の匂配が曲線２１の匂配とは異なることも分かる。
【００２４】
曲線２０及び２１に応じて強度ＩＡ及びＩＢを得るのに必要な制御信号を検討すると、制御の成り行きは明らかである。曲線２０によればその該当の強度が電圧ＶＡ１及びＶＢ１に達し、曲線２１では電圧ＶＡ２及びＶＢ2である。曲線２１の当てはまる場合における当該位置の画素がＶＡ1及びＶＢ1で制御されると、当該強度がＩ０より小さくなるか又は値ＩＢ′を有するものとなり、これら強度の双方ともに所望の強度ＩＡ及びＩＢよりも遥かに低いものとなる。
【００２５】
図２に描かれている状況は、角度γ及びδが角度α及びβから著しく外れているものであり、これは特に液晶マトリクス１１のエッジに近い箇所で生じる。液晶マトリクス１１の中心により近づくほど、角度γは角度αに等しくなり角度δは角度βに等しくなる。ビームの、１３の如き中心光線が位置１４に垂直に入射する状況は頻繁に起こる。但し、その代わりとして、光学系７を液晶マトリクス１１の真上に置かないようにすることが可能となる。このような場合において、液晶マトリクス１１に垂直に入射するのは中心光線ではなく、どちらかと言えば当該ビームの縁に近い光線となる。
【００２６】
光線１７及び１８が液晶マトリクス１１に角度α及びβで入射しない状況から起因する作用を大幅に排除するため、本発明による装置の制御装置は、図５に概略的に示されるような態様で構成される。
【００２７】
図５に示される制御装置５は、画像信号６のための入力部２３を有する。入力部２３は、画素規定回路２４と変換回路２５の画像信号入力部に接続される。回路２４のアドレス出力は、変換回路２５のアドレス入力部２６に接続される。画像信号６がアナログ信号である場合、Ａ／Ｄ変換器２７を入力部２３と変換回路２５の画像信号入力部との間に配してもよい。変換回路２５は、ルックアップテーブル２８を有する。ルックアップテーブル２８のアドレス入力部は、入力部２６に接続され、ルックアップテーブル２８の信号入力部は、変換回路２５の画像信号入力部に接続される。変換回路２５のアドレス出力部２９は、制御装置５のアドレス出力部３１に接続される。ルックアップテーブル２８の制御信号出力部は、変換回路２５の制御信号出力部３０に接続され、さらに制御装置５の制御信号出力部３２に接続される。制御装置５の出力部３１及び３２における信号は、それぞれ液晶マトリクス２，１１に既知の手法で接続される。
【００２８】
例示として、ルックアップテーブル２８を備える制御装置５の動作は、１４近くの画素と２２近くの画素との双方について光強度ＩＡを得るために図４を参照して明らかとなる。
【００２９】
１４近傍の画素の画像信号６は、光線１６が強度ＩＡを有するような値を有する。このため、当該画像信号に含まれうるとともに他の手段から発せられることもあるアドレス情報により、該当の画素のアドレスが画素規定回路２４によりアドレス入力部２６に設定されることが保証される。該当の画素のアドレスは、ルックアップテーブル２８においてテーブル２８ａ，２８ｂ，…，２８ｐ，２８ｑのうち特定の１つのテーブルがアクティブとなることを確実にする。各テーブル２８ａ，２９ｂ，…，２８ｐ，２８ｑは、１つの画素又は液晶マトリクス２の光学的に同一の複数の画素とそれぞれ関連付けられる。各テーブル２８ａ，２８ｂ，…，２８ｐ，２８ｑは、強度値Ｉに対応する、各画像信号値について対応する画素の対応する制御電圧信号値Ｖを有する。これは、画像信号６が強度ＩＡに対応する場合、１４近傍の画素に対応するテーブル（例えば２８ｂ）によって、値ＶＡ１を有する制御信号がその該当強度を得るために出力部３０に設定されることが保証されることを意味する。但し、２２近傍の画素に対応する、別のテーブル（例えば２８ｐ）において同じ強度ＩＡに対応する画像信号６は、２２近傍の該当画素により示される出力３１におけるアドレス指定と同時に、出力３０したがって出力３２に制御電圧信号ＶＡ２をもたらすことになる。
【００３０】
上述したようにして、出力３０，３２における制御信号の値は、画像信号６によって示される強度の発生値において画素毎にルックアップテーブル２８におけるテーブル２８ａ，２８ｂ，…，２８ｐ，２８ｑに組み入れられる。
【００３１】
こうして、制御装置５により供給されるべき制御信号の値を画素毎に極めて正確に規定することができ、これは、任意の画素に対し任意の所望された強度をもたらすことになる。
【００３２】
上述においては、電圧についての与えられた値を有する制御信号を説明した。但し、ディジタル表示器もあることに留意するべきである。アナログ制御電圧に代えて、このようなディジタル表示器にディジタル値が供給される。ここでのディジタル値は、当該表示器において対応する電圧に変換される。ある電圧値を有する制御信号が、前述及び後述において扱われた場合及び扱われようとする場合、ディジタル表示器に供給されなければならないディジタル値も含まれる。
【００３３】
第２の態様のＬＣＤ投写装置は、上述したような形態で扱うことができるものであり、光学系７の開口数のものに相当する。光学系７がゼロに近い開口数を有する場合については上述の内容は正しいので、図２において、液晶マトリクス１１の各画素について１つの光線を書くことで十分である。実際、光学系の開口数はゼロではなく時としてそれとは相当に異なる。これは、円錐状ビームが液晶マトリクス２，１１の各画素を出て光学系７により単一のスポットにつながることを意味する。図３はまた、反射型液晶マトリクス１１の状況を例として示しているが、認識される問題及びその解決法は透過型液晶マトリクス２の場合と同じである。
【００３４】
図３において参照符号３９により示される画素は、光学系７により投影される。図３は、２つの状況を示している。第１の状況は、実線により示され、実線４０により概略的に示される光学系７が小さい開口数を有する場合の状況に関する。第２の状況は、破線により示され、破線４１により概略的に示されるような光学系７が大なる開口数を有する場合の状況に関する。
【００３５】
画素３９を出て図３に示される縁部の光線４２及び４３内に入る全ての光線（開口数が小さい光学系７の場合）は、光学系７により拡大された画像形成をもたらすことになる。光線４２及び４３は、参照符号３９により示される画素を出る全ての光線の円錐状ビームの外側壁部を伴う当該図の平面の断面を構成する。この場合、光線４４及び４５は役目を果たさない。但し、光学系７が、例えば破線４１により示されるような比較的大なる開口数を有する場合、光線４４と光線４５との間にある全ての光、すなわち光線４２及び４３も含め、光学系７による画像の形成の役に立つことになる。図３からは、開口数が大きいほど、入射光と偏光半透過ミラー１０の平面との間でなす角が角度α（図２参照）から外れることになる当該円錐状ビームに、より多くの光線が含まれることになり、またその外れる量の最大値も大きくなる。図３において、角γ４２は、角γ４４と比べ角αからあまり外れない。同じことが画素３９からの入射／反射光の間でなす角にも言える。角δ４２は、角δ４４と比べて９０°からあまり外れない。大なる開口数により生じる問題は、液晶マトリクス１１の中央部よりもエッジ寄りにおいて顕著になる。
【００３６】
したがって、例えば、図４における曲線２０及び２１により示されるようにして行なわれる補正は、円錐状ビームの中心光線（図２に示される）の各画素（図２における角δ）に対する斜め入射の作用だけでなく、この円錐状ビームの他の光線（図３に示される）の斜め（及び時として直角）の入射の作用も考慮に入れることになる。したがって、図４に示される曲線２０又は２１は、光学系７の開口数の所与の値について最も適したものである。例えば、曲線２０により示される同じ画素については、異なる曲線が光学系７の開口数の異なる値に関連づけられるようにしてもよい。
【００３７】
異なる焦点距離のレンズにより動作することができ、又はプロジェクタに内蔵することができる１つ及び同じ投写装置においては、当該プロジェクタの製造までどの光学システム及びどの開口数が組み入れられることになるかの決定がなされず、或いは調整可能な開口数及び／又は焦点距離（ズーム光学）を有する光学系が組み込まれることになるものであり、このような状況に対し用意された制御装置を持つことは賢明である。
【００３８】
このような制御装置は図６に概略的に示されており、図５におけるものと同等の構成部は同一の参照符号により示され、これについてさらなる説明はしない。図６の制御装置は、信号３３の入力を有しており、この信号３３は、当該ＬＣＤ投写装置における光学系の開口数を表している。信号３３は、セレクタスイッチ３８に供給され、このセレクタスイッチは、アドレス信号発生器２４及び入力部２３からの信号を複数のルックアップテーブル３４（３５，…，３６，３７）うちの１つに供給する。ルックアップテーブル３４ないし３７の各々は、図５を参照して説明したルックアップテーブル２８に完全に相当するものである。ルックアップテーブル３４は、第１の開口数に関連づけられ、テーブル３５は第２の開口数に関連づけられ、以降も同様である。ルックアップテーブル３７はまた、図５のテーブル２８ａ，２８ｂ，…，３８ｐ，３８ｑに完全に対応するテーブル３７ａ，３７ｂ，…，３７ｐ，３７ｑも含む。スイッチ３８はまた、該当するルックアップテーブルが出力３１及び３２に接続されることを保証する。
【００３９】
これまでは、出力３２において利用可能であることを要しかつ該当するルックアップテーブルに組み入れられる制御信号値についてルックアップテーブル２８，３４〜４７を参照して説明した。しかし、ルックアップテーブル２８，３４〜３７はまた、出力３２に発生されなければならない信号値に代えて標準的な値とは異なる値で満たされるようにしてもよい。かかる標準的値は、例えば、図４の曲線２０に対応する値Ｖ１，ＶＡ１，ＶＢ１，Ｖ３などにより形成可能である。そして、各強度Ｉにつき、差の値がルックアップテーブル２８，３４ないし３７に該当の標準値とともに組み入れられるようにすることができる。図４を参照すると、これは、例えば値Ｖ２-Ｖ１が強度Ｉ０についてルックアップテーブル２８に組み入れられ、ＩＡについては値ＶＡ２-ＶＡ1が組み入れられるなどといった形態を意味する。
【００４０】
制御装置５においては、変換回路２５は、別の独立ユニットとしてルックアップテーブル２８を組み込んだ分離ユニットを構成する。同じことが、ルックアップテーブル３４ないし３７に当てはまる。ルックアップテーブル２８，３４〜３７は、変換回路２５の一部を永続的又は非永続的に形成するメモリに組み込まれる。ルックアップテーブル２８を有するメモリ又はルックアップテーブル３４〜３７を有するメモリが変換回路２５の一部を永続的に形成しない場合、当該メモリを交換可能なものとしてもよい。製造技術の観点から、これは重要である。何故なら、多くの種類のＬＣＤ投写装置がこのような態様で１つの同じ製造プロセスで不規則（任意）に製造可能であるからであり、かかるプロセスにおいては、適正なルックアップテーブルを有する適正なメモリがこのルックアップテーブルに関連付けられた光学系を有する投写装置に位置づけられることを専ら確実にするのである。
【００４１】
図７は、液晶マトリクス４７、光学系４８及び人間の目などの観測手段の瞳４９を示している。瞳４９から３本の線が３回引かれており、これらの線は当該目の異なる３つの観測方向を示している。各観測方向は、光学系４８を介して液晶マトリクス４７の画素５０，５１，５２において完結する。各画素からの３つのラインは、中央のラインと縁の２つのラインとからなり、開口４９の作用を明確に示している。開口４９が小さいほど、当該縁の２つのラインは中央ラインに近く位置づけられる。ここでは、中央ラインが液晶マトリクス４７へ異なる角度で延び、これにより図２を参照して広範に説明した作用を生じることも明確に分かる。
【００４２】
なお、当業者によれば、多くの実施例及び改変例が見出されうることは明らかである。これら実施例及び改変例の全てが本発明の範囲に入るものとみなされる。
【図面の簡単な説明】
【００４３】
【図１Ａ】
透過型液晶マトリクスを備えるＬＣＤ投写装置の基本的構成を示す図。
【図１Ｂ】
反射型液晶マトリクスを備えるＬＣＤ投写装置の基本的構成を示す図。
【図２】
液晶マトリクスに対する種々の光の入射角を模式的に示す図。
【図３】
開口数に起因する作用を模式的に示す図。
【図４】
２つの異なる入射角についての印加電圧と透過／反射光の強度との関係を示す図。
【図５】
投写装置における制御装置のさらなる詳細を示す図。
【図６】
２以上の開口数が設定されうる投写装置における制御装置のさらなる詳細を示す図。
【図７】
ヘルメット実装ディスプレイにおいて用いられる模式的に示されたＬＣＤ投写装置の投影形態を示す図。
【国際公開パンフレット】
2004533648.tif 000003
2004533648.tif 000004
2004533648.tif 000005
2004533648.tif 000006
2004533648.tif 000007
2004533648.tif 000008
2004533648.tif 000009
2004533648.tif 000010
2004533648.tif 000011
2004533648.tif 000012
2004533648.tif 000013
2004533648.tif 000014
2004533648.tif 000015
2004533648.tif 000016
2004533648.tif 000017
2004533648.tif 000018
2004533648.tif 000019
2004533648.tif 000020
【国際調査報告】
2004533648.tif 000021
2004533648.tif 000022